(57)【要約】【課題】セグメント表示部とドットマトリックス表示部とをともに備えた電子棚札に情報を表示する電子棚札の表示方法を提供する。【解決手段】本発明に係る電子棚札は、セグメント表示部１５０と、ドットマトリックス表示部１６０と、セグメント表示部１５０およびドットマトリックス表示部１６０のセグメントおよびドットをオンまたはオフする制御信号を生成する表示部駆動チップ１４０と、サーバーまたは中継器と通信を行うＲＦモジュール１２０と、ＲＦモジュール１２０を介して受信する信号に応じて表示部駆動チップ１４０を制御する制御命令を生成する制御部１３０と、を含む。【選択図】図３
2014098886.tif 000002
【特許請求の範囲】
【請求項１】
サーバーまたは中継器と通信を行って情報を表示する電子棚札であって、
複数個のセグメントからなり、それぞれのセグメントのオンまたはオフに応じて情報を表示するセグメント表示部と、
複数個のドットからなり、Ｘ、Ｙ座標に応じて決定されるドットのオンまたはオフに応じて情報を表示するドットマトリックス表示部と、
前記セグメント表示部および前記ドットマトリックス表示部の前記セグメントおよび前記ドットをオンまたはオフする制御信号を生成する表示部駆動チップと、
前記サーバーまたは前記中継器と通信を行うＲＦモジュールと、
前記ＲＦモジュールを介して受信する信号に応じて前記表示部駆動チップを制御する制御命令を生成する制御部と、を含む、電子棚札。
【請求項２】
前記表示部駆動チップは、
前記制御部と連結されて前記制御命令の印加を受けるインターフェース部と、
前記インターフェース部と連結されて前記制御命令を処理して前記制御信号を生成するロジッグ処理部と、
前記ロジッグ処理部に連結されて前記制御信号を出力する出力部と、を含む、請求項１に記載の電子棚札。
【請求項３】
前記表示部駆動チップは、
前記制御部と連結されて第１データを含む制御命令の印加を受けるインターフェース部と、
前記インターフェース部が印加を受けた制御命令の直前の制御命令に含まれた第２データが格納されるメモリ部と、
前記インターフェース部および前記メモリ部に連結され、前記第１データおよび前記第２データを比較して、前記第１データのうち前記第２データと相違するデータのみを抽出する判断部と、
前記判断部と連結されて前記制御命令を処理して前記制御信号を生成するロジッグ処理部と、
前記ロジッグ処理部に連結されて前記制御信号を出力する出力部と、を含む、請求項１に記載の電子棚札。
【請求項４】
前記ロジッグ処理部は、
ルックアップテーブルと、
選択部と、を含む、請求項２または３に記載の電子棚札。
【請求項５】
前記出力部は、
前記選択部と前記セグメント表示部との間に連結され、前記セグメントをオンまたはオフする制御信号を出力するセグメント制御信号出力部と、
前記選択部と前記ドットマトリックス表示部との間に連結され、前記ドットをオンまたはオフする制御信号を出力するドットマトリックス制御信号出力部と、を含む、請求項４に記載の電子棚札。
【請求項６】
前記セグメント制御信号出力部は、パッシブバッファを含み、
前記ドットマトリックス制御信号出力部は、ソースバッファと、ゲートバッファと、を含む、請求項５に記載の電子棚札。
【請求項７】
サーバーまたは中継器と通信を行って情報を表示する電子棚札であって、
回路パターンが設けられた基板と、
前記基板の一面に積層され、複数個のセグメントからなり、それぞれのセグメントのオンまたはオフに応じて情報を表示するセグメント表示部と、
複数個のドットからなり、Ｘ、Ｙ座標に応じて決定されるドットのオンまたはオフに応じて情報を表示するドットマトリックス表示部と、
前記セグメント表示部および前記ドットマトリックス表示部の前記セグメントおよび前記ドットをオンまたはオフする制御信号を生成する表示部駆動チップと、
前記基板の他面に設けられ、前記サーバーまたは前記中継器と通信を行うＲＦモジュールと、
前記基板の他面に設けられ、前記ＲＦモジュールを介して受信する信号に応じて前記表示部駆動チップを制御する制御命令を生成する制御部と、を含む、電子棚札。
【請求項８】
前記ドットマトリックス表示部の一端には回路配線を含むフレキシブル回路基板の一端が連結され、
前記表示部駆動チップは前記フレキシブル回路基板に電気的かつ物理的に結合し、
前記フレキシブル回路基板の他端は前記基板に物理的に結合し、前記表示部駆動チップが前記回路配線によって前記ドットマトリックス表示部および前記回路パターンと電気的に連結される、請求項７に記載の電子棚札。
【請求項９】
前記回路パターンおよびフレキシブル回路基板によって前記セグメント表示部と前記表示部駆動チップとが電気的に連結される、請求項８に記載の電子棚札。
【請求項１０】
前記回路パターンのうち前記セグメント表示部と電気的に連結される回路パターンと前記表示部駆動チップとの間に連結され、
前記セグメントのオンまたはオフを制御するセグメント制御信号を伝達するセグメント制御信号伝送線をさらに含む、請求項８に記載の電子棚札。
【請求項１１】
サーバーまたは中継器と通信を行って情報を表示する電子棚札であって、
複数個のセグメントからなり、それぞれのセグメントのオンまたはオフに応じて情報を表示するセグメント表示部と、
前記セグメント表示部の前記セグメントをオンまたはオフする制御信号を生成するセグメント表示部駆動チップと、
複数個のドットからなり、Ｘ、Ｙ座標に応じて決定されるドットのオンまたはオフに応じて情報を表示するドットマトリックス表示部と、
前記ドットマトリックス表示部の前記ドットをオンまたはオフする制御信号を生成するドットマトリックス表示部駆動チップと、
前記サーバーまたは前記中継器と通信を行うＲＦモジュールと、
前記ＲＦモジュールを介して受信する信号に応じて前記セグメント表示部駆動チップおよび前記ドットマトリックス表示部駆動チップを制御する制御命令を生成する制御部と、を含む、電子棚札。
【請求項１２】
サーバーまたは中継器と通信を行って情報を表示する電子棚札であって、
回路パターンが設けられた基板と、
前記基板の一面に積層され、複数個のセグメントからなり、それぞれのセグメントのオンまたはオフに応じて情報を表示するセグメント表示部と、
前記基板の他面に設けられ、前記回路パターンによって前記セグメント表示部と電気的に連結され、前記セグメント表示部の前記セグメントをオンまたはオフする制御信号を生成するセグメント表示部駆動チップと、
複数個のドットからなり、Ｘ、Ｙ座標に応じて決定されるドットのオンまたはオフに応じて情報を表示するドットマトリックス表示部と、
前記ドットマトリックス表示部の前記ドットをオンまたはオフする制御信号を生成するドットマトリックス表示部駆動チップと、
前記基板の他面に設けられ、前記サーバーまたは前記中継器と通信を行うＲＦモジュールと、
前記基板の他面に設けられ、前記ＲＦモジュールを介して受信する信号に応じて前記セグメント表示部駆動チップおよび前記ドットマトリックス表示部駆動チップを制御する制御命令を生成する制御部と、を含む、電子棚札。
【請求項１３】
前記ドットマトリックス表示部の一端には回路配線を含むフレキシブル回路基板の一端が連結され、
前記ドットマトリックス表示部駆動チップは、前記フレキシブル回路基板に電気的かつ物理的に結合し、
前記フレキシブル回路基板の他端は前記基板に物理的に結合し、前記ドットマトリックス表示部駆動チップが前記回路配線によって前記ドットマトリックス表示部および前記回路パターンと電気的に連結される、請求項１２に記載の電子棚札。
【請求項１４】
請求項３に記載の電子棚札に情報を表示する電子棚札の表示方法であって、
（ａ）前記表示部駆動チップが前記第１データと前記第２データとを比較する段階と、
（ｂ）前記第１データのうち前記第２データと相違するデータのみを抽出する段階と、
（ｃ）前記（ｂ）段階で抽出したデータを表示するための制御信号を生成する段階と、
（ｄ）前記（ｃ）段階で生成した制御信号を前記セグメント表示部またはドットマトリックス表示部に印加して表示内容を変更する段階と、を含む、電子棚札の表示方法。
【発明の詳細な説明】
【技術分野】
【０００１】
本発明は、電子棚札および電子棚札の表示方法に関する。
【背景技術】
【０００２】
通常、小売店舗のように所定空間内に多数の商品を陳列および販売する場所では、各商品の情報と価格を表示する紙ラベルが主に使用されてきた。しかし、商品情報を更新する度にいちいち紙ラベル上に手で記載しなければならないという不都合と管理の困難があったため最近は紙ラベルを電子棚札（ｅｌｅｃｔｒｏｎｉｃ  Ｓｈｅｌｆ  Ｌａｂｅｌ；ＥＳＬ）に取り替えている傾向にあり、これに係る技術が特許文献１および特許文献２などに開示されている。
【０００３】
電子棚札は、サーバーの要請に応じて中継器から商品の更新情報が無線伝送されると、これを受信して表示する。すなわち、サーバーを介してすべての商品に対する電子棚札を制御することにより効率的な管理が可能である。このような電子棚札は、通信部、プロセッサ、ディスプレイパネルなど、多くの回路を含むため、電源を供給され続ける必要があり、これを解決するために内部にバッテリーを装着している。
【０００４】
一方、このような電子棚札が情報を表示する方式としては、セグメント方式とドットマトリックス方式が挙げられる。
【０００５】
まず、セグメント方式は、複数のセグメントを配置したパネルで所定のセグメントをオンまたはオフして数字や文字、特殊記号を表示する方式を称し、パッシブ（Ｐａｓｓｉｖｅ）方式と称することもある。
【０００６】
次に、ドットマトリックス方式は、格子模様をなす複数のドットからなるドットマトリックスを（Ｘ、Ｙ）座標で区別して特定の座標に該当するドットをオンまたはオフする方式であり、アクティブ（Ａｃｔｉｖｅ）方式と称することもある。
【０００７】
前記ドットマトリックス方式は、セグメント方式より多様なグラフィック画面を表示できるという利点があるが、ドットマトリックスパネルの製造コストがセグメントパネルより極めて高く、処理すべきデータの量が大幅に増加するため、システム構成コストが急増することになる。
【０００８】
そのため、従来は、常に頻繁に変更される商品の価格情報、セール情報などはセグメント方式で表示し、製品のイメージや製造社、商品に対する要約説明、バーコードなどは別の印刷物として製作して、電子棚札の側部に挟み込むか脱着または付着する方式を用いていた。
【０００９】
このような従来方式では印刷物を取り替える必要があるという不都合があり、情報変更に相当な時間がかかるという問題があった。
【先行技術文献】
【特許文献】
【００１０】
【特許文献１】韓国公開特許第２０１１‐００５１０７６号公報
【特許文献２】韓国公開特許第２０１２‐００９０１０５号公報
【発明の開示】
【発明が解決しようとする課題】
【００１１】
前記のような問題点を解決するために導き出された本発明は、セグメント表示部とドットマトリックス表示部とをともに備えた電子棚札を提供することを目的とする。
【００１２】
また、本発明は、セグメント表示部とドットマトリックス表示部とをともに備えた電子棚札に情報を表示する電子棚札の表示方法を提供することを目的とする。
【課題を解決するための手段】
【００１３】
前記のような目的を果たすために導き出された本発明の一実施形態による電子棚札は、サーバーまたは中継器と通信を行って情報を表示する電子棚札であって、複数個のセグメントからなり、それぞれのセグメントのオンまたはオフに応じて情報を表示するセグメント表示部と、複数個のドットからなり、Ｘ、Ｙ座標に応じて決定されるドットのオンまたはオフに応じて情報を表示するドットマトリックス表示部と、前記セグメント表示部および前記ドットマトリックス表示部の前記セグメントおよび前記ドットをオンまたはオフする制御信号を生成する表示部駆動チップと、前記サーバーまたは前記中継器と通信を行うＲＦモジュールと、前記ＲＦモジュールを介して受信する信号に応じて前記表示部駆動チップを制御する制御命令を生成する制御部と、を含むことができる。
【００１４】
この際、前記表示部駆動チップは、前記制御部と連結されて前記制御命令の印加を受けるインターフェース部と、前記インターフェース部と連結されて前記制御命令を処理して前記制御信号を生成するロジッグ処理部と、前記ロジッグ処理部に連結されて前記制御信号を出力する出力部と、を含むことができる。
【００１５】
また、前記表示部駆動チップは、前記制御部と連結されて第１データを含む制御命令の印加を受けるインターフェース部と、前記インターフェース部が印加を受けた制御命令の直前の制御命令に含まれた第２データが格納されるメモリ部と、前記インターフェース部および前記メモリ部に連結され、前記第１データ及び前記第２データを比較して、前記第１データのうち前記第２データと相違するデータのみを抽出する判断部と、前記判断部に連結されて前記制御命令を処理して前記制御信号を生成するロジッグ処理部と、前記ロジッグ処理部に連結されて前記制御信号を出力する出力部と、を含むこともできる。
【００１６】
ここで、前記ロジッグ処理部は、ルックアップテーブルと、選択部と、を含むことができる。
【００１７】
また、前記出力部は、前記選択部と前記セグメント表示部との間に連結され、前記セグメントをオンまたはオフする制御信号を出力するセグメント制御信号出力部と、前記選択部と前記ドットマトリックス表示部との間に連結され、前記ドットをオンまたはオフする制御信号を出力するドットマトリックス制御信号出力部と、を含むことができる。
【００１８】
また、前記セグメント制御信号出力部は、パッシブバッファを含み、前記ドットマトリックス制御信号出力部は、ソースバッファと、ゲートバッファと、を含むことができる。
【００１９】
本発明の一実施形態による電子棚札は、サーバーまたは中継器と通信を行って情報を表示する電子棚札であって、回路パターンが設けられた基板と、前記基板の一面に積層され、複数個のセグメントからなり、それぞれのセグメントのオンまたはオフに応じて情報を表示するセグメント表示部と、複数個のドットからなり、Ｘ、Ｙ座標に応じて決定されるドットのオンまたはオフに応じて情報を表示するドットマトリックス表示部と、前記セグメント表示部および前記ドットマトリックス表示部の前記セグメントおよび前記ドットをオンまたはオフする制御信号を生成する表示部駆動チップと、前記基板の他面に設けられ、前記サーバーまたは前記中継器と通信を行うＲＦモジュールと、前記基板の他面に設けられ、前記ＲＦモジュールを介して受信する信号に応じて前記表示部駆動チップを制御する制御命令を生成する制御部と、を含むことができる。
【００２０】
この際、前記ドットマトリックス表示部の一端には回路配線を含むフレキシブル回路基板の一端が連結され、前記表示部駆動チップは前記フレキシブル回路基板に電気的かつ物理的に結合し、前記フレキシブル回路基板の他端は前記基板に物理的に結合し、前記表示部駆動チップが前記回路配線によって前記ドットマトリックス表示部および前記回路パターンと電気的に連結されることができる。
【００２１】
また、前記回路パターンおよびフレキシブル回路基板によって前記セグメント表示部と前記表示部駆動チップとが電気的に連結されることができる。
【００２２】
また、前記回路パターンのうち前記セグメント表示部と電気的に連結される回路パターンと前記表示部駆動チップとの間に連結され、前記セグメントのオンまたはオフを制御するセグメント制御信号を伝達するセグメント制御信号伝送線をさらに含むことができる。
【００２３】
本発明の一実施形態による電子棚札は、サーバーまたは中継器と通信を行って情報を表示する電子棚札であって、複数個のセグメントからなり、それぞれのセグメントのオンまたはオフに応じて情報を表示するセグメント表示部と、前記セグメント表示部の前記セグメントをオンまたはオフする制御信号を生成するセグメント表示部駆動チップと、複数個のドットからなり、Ｘ、Ｙ座標に応じて決定されるドットのオンまたはオフに応じて情報を表示するドットマトリックス表示部と、前記ドットマトリックス表示部の前記ドットをオンまたはオフする制御信号を生成するドットマトリックス表示部駆動チップと、前記サーバーまたは前記中継器と通信を行うＲＦモジュールと、前記ＲＦモジュールを介して受信する信号に応じて前記セグメント表示部駆動チップおよび前記ドットマトリックス表示部駆動チップを制御する制御命令を生成する制御部と、を含むことができる。
【００２４】
本発明の一実施形態による電子棚札は、サーバーまたは中継器と通信を行って情報を表示する電子棚札であって、回路パターンが設けられた基板と、前記基板の一面に積層され、複数個のセグメントからなり、それぞれのセグメントのオンまたはオフに応じて情報を表示するセグメント表示部と、前記基板の他面に設けられ、前記回路パターンによって前記セグメント表示部と電気的に連結され、前記セグメント表示部の前記セグメントをオンまたはオフする制御信号を生成するセグメント表示部駆動チップと、複数個のドットからなり、Ｘ、Ｙ座標に応じて決定されるドットのオンまたはオフに応じて情報を表示するドットマトリックス表示部と、前記ドットマトリックス表示部の前記ドットをオンまたはオフする制御信号を生成するドットマトリックス表示部駆動チップと、前記基板の他面に設けられ、前記サーバーまたは前記中継器と通信を行うＲＦモジュールと、前記基板の他面に設けられ、前記ＲＦモジュールを介して受信する信号に応じて前記セグメント表示部駆動チップおよび前記ドットマトリックス表示部駆動チップを制御する制御命令を生成する制御部と、を含むことができる。
【００２５】
この際、前記ドットマトリックス表示部の一端には回路配線を含むフレキシブル回路基板の一端が連結され、前記ドットマトリックス表示部駆動チップは、前記フレキシブル回路基板に電気的かつ物理的に結合し、前記フレキシブル回路基板の他端は前記基板に物理的に結合し、前記ドットマトリックス表示部駆動チップが前記回路配線によって前記ドットマトリックス表示部および前記回路パターンと電気的に連結されることができる。
【００２６】
本発明の一実施形態による電子棚札の表示方法は、
（ａ）前記表示部駆動チップが前記第１データと前記第２データとを比較する段階と、
（ｂ）前記第１データのうち前記第２データと相違するデータのみを抽出する段階と、
（ｃ）前記（ｂ）段階で抽出したデータを表示するための制御信号を生成する段階と、
（ｄ）前記（ｃ）段階で生成した制御信号を前記セグメント表示部またはドットマトリックス表示部に印加して表示内容を変更する段階と、を含むことができる。
【発明の効果】
【００２７】
以上のように構成された本発明は、頻繁に変更される商品の価格情報、セール情報などはセグメント方式で表示し、製品のイメージや製造社、商品に対する要約説明、バーコードなどはドットマトリックス方式で表示することにより、印刷物を取り替える不都合を改善し、情報を変更するためにかかる時間を大幅に低減するという有用な効果を提供する。
【図面の簡単な説明】
【００２８】
【図１】本発明の一実施形態による電子棚札を含むシステム構成を示したブロック図である。
【図２】本発明の一実施形態による電子棚札を概略的に例示した平面図である。
【図３】本発明の一実施形態による電子棚札を概略的に例示したブロック図である。
【図４】本発明の一実施形態による電子棚札の主要部の構成を詳細に例示したブロック図である。
【図５】本発明の他の実施形態による電子棚札の主要部の構成を詳細に例示したブロック図である。
【図６】本発明の一実施形態による電子棚札を概略的に例示した一部分離断面図である。
【図７】本発明のさらに他の実施形態による電子棚札を概略的に例示したブロック図である。
【図８】本発明のさらに他の実施形態による電子棚札を概略的に例示した一部分離断面図である。
【図９】本発明の一実施形態による電子棚札の表示方法を概略的に例示したフローチャートである。
【発明を実施するための形態】
【００２９】
本発明の利点および特徴、そしてそれらを果たす方法は、添付の図面とともに詳細に後述する実施形態を参照すると明確になるであろう。しかし、本発明は以下に開示される実施形態に限定されず、互いに異なる様々な形態に具現することができる。本実施形態は、本発明の開示を完全にするとともに、本発明が属する技術分野において通常の知識を有した者に発明の範疇を完全に伝達するために提供されることができる。明細書全体において、同一の参照符号は同一の構成要素を示す。
【００３０】
本明細書で用いられる用語は、実施形態を説明するためのものであり、本発明を限定しようとするものではない。本明細書において、単数型は文章で特に言及しない限り複数型も含む。明細書で用いられる「含む（ｃｏｍｐｒｉｓｅ）」および／または「含んでいる（ｃｏｍｐｒｉｓｉｎｇ）」は言及された構成要素、段階、動作および／または素子は一つ以上の他の構成要素、段階、動作および／または素子の存在または追加を排除しない。
【００３１】
図示の簡略化および明瞭化のために、図面は一般的な構成方式を図示しており、本発明の説明において実施形態の論議を不明瞭にすることを避けるために、公知の特徴および技術に関する詳細な説明を省略することができる。さらに、図面の構成要素は必ずしも縮尺によって図示されたものではない。例えば、本発明の実施形態を容易に理解するために、図面の一部の構成要素のサイズが他の構成要素より誇張されることができる。互いに異なる図面における同一の参照符号は同一の構成要素を示し、必ずしもそうではないが、類似した参照符号は類似した構成要素を示すことができる。
【００３２】
明細書および請求範囲において、「第１」、「第２」、「第３」および「第４」などの用語が記載されている場合、類似した構成要素同士を区別するために用いられ、必ずしもそうではないが、特定の順次または発生順序を記述するために用いられる。そのように用いられる用語は、ここに記述された本発明の実施形態が、例えば、ここに図示または説明されたものではなく他のシーケンスで動作するように適切な環境下で互換可能であることを理解することができる。同様に、ここで、方法が一連の段階を含むと記述される場合、ここに提示されたそのような段階の順序が必ずしもそのような段階が実行される順序ではなく、任意に記述された段階は省略することができ、および／またはここに記述されていない任意の他の段階をその方法に付加することができる。
【００３３】
明細書および請求範囲において、「左側」、「右側」、「前」、「後」、「上部」、「底部」、「上に」、「下に」などの用語が記載されている場合には、説明のために用いられるものであり、必ずしも不変の相対的な位置を記述するためのものではない。そのように用いられる用語は、ここに記述された本発明の実施形態が、例えば、ここに図示または説明されたものではなく他の方向に動作するように適切な環境下で互換可能であることを理解することができる。ここで用いられた用語「連結された」は、電気的または非電気的な方式で直接または間接的に接続されることに定義される。ここで、互いに「隣接する」と記述された対象は、その文章が用いられる文脈に対して適切に、互いに物理的に接触するか、互いに近接するか、互いに同一の一般的な範囲または領域に存在することができる。ここで、「一実施形態において」という文章は、必ずしもそうではないが、同一の実施形態を意味する。
【００３４】
以下、添付の図面を参照して本発明の構成および作用効果についてより詳細に説明する。
【００３５】
図１は、本発明の一実施形態による電子棚札を含む電子棚札システム１０００の構成を示したブロック図である。
【００３６】
本発明の実施形態による電子棚札システム１０００は、図１に示したように、電子棚札１００と、陳列台６００と、サーバー３００と、中継器４００と、を含むことができる。
【００３７】
このように構成された電子棚札システム１０００の各ブロックの機能について説明すると次のとおりである。
【００３８】
電子棚札１００は、セグメント表示部１５０とドットマトリックス表示部１６０を介して商品の価格、賞味期限、製造日などの情報を提供することができる。
【００３９】
一方、サーバー３００は、商品情報の入力を受けるか処理するための情報処理部３１０と、商品情報を格納するデータベース部３２０よ、を含むことができる。
【００４０】
中継器４００は、サーバー３００から商品情報の伝達を受けてこれを陳列台６００の電子棚札１００に無線で伝送することができる。
【００４１】
図２は本発明の一実施形態による電子棚札１００を概略的に例示した平面図である。
【００４２】
図２を参照すると、本発明の一実施形態による電子棚札１００は、その一面にセグメント表示部１５０とドットマトリックス表示部１６０とをともに備えている。
【００４３】
これにより、価格、賞味期限および特定の文字などはセグメント表示部１５０を利用して出力し、その他、様々なイメージはドットマトリックス表示部１６０を利用して出力することができる。
【００４４】
図３は本発明の一実施形態による電子棚札１００を概略的に例示したブロック図である。
【００４５】
図３を参照すると、本発明の一実施形態による電子棚札１００は、アンテナ１１０と、ＲＦモジュール１２０と、制御部１３０と、表示部駆動チップ１４０と、セグメント表示部１５０と、ドットマトリックス表示部１６０と、を含むことができる。
【００４６】
この際、ＲＦモジュール１２０は、アンテナ１１０を介してサーバーまたは中継器と通信を行うことでデータを送受信する機能を行う。
【００４７】
次に、制御部１３０は、ＲＦモジュール１２０を介して受信する信号に応じて表示部駆動チップ１４０を制御する機能を行い、通常のマイクロコンピューター（Ｍｉｃｒｏ  Ｃｏｎｔｒｏｌ  Ｕｎｉｔ；ＭＣＵ）などに具現されることができる。
【００４８】
次に、セグメント表示部１５０およびドットマトリックス表示部１６０は、従来の一般的なセグメント方式（またはパッシブ方式）のパネルおよびドットマトリックス方式（またはアクティブ方式）のパネルに具現されることができる。
【００４９】
最後に、表示部駆動チップ１４０は、制御部１３０の制御命令に応じてセグメント表示部１５０およびドットマトリックス表示部１６０を駆動するための制御信号を生成して出力する。
【００５０】
図４は、本発明の一実施形態による電子棚札１００の主要部の構成を詳細に例示したブロック図である。
【００５１】
図４を参照すると、表示部駆動チップ１４０は、インターフェース部１４１と、ロジッグ処理部１４９と、出力部１４４と、を含むことができる。
【００５２】
この際、インターフェース部１４１は、制御部１３０の制御命令の印加を受けてロジッグ処理部１４９に伝送する役割を行う。
【００５３】
次に、ロジッグ処理部１４９は、ルックアップテーブル（Ｌｏｏｋｕｐ  Ｔａｂｌｅ）１４２と、選択部１４３と、を含み、制御命令に含まれたデータに応じてセグメント表示部１５０の特定のセグメントをオンまたはオフする制御信号およびドットマトリックス表示部１６０の特定のドットをオンまたはオフする制御信号を生成することができる。
【００５４】
この際、選択部１４３は、生成した制御信号がセグメント表示部１５０を駆動する信号であるか、ドットマトリックス表示部１６０を駆動する信号であるかを区別して出力部１４４に伝送する。
【００５５】
次に、出力部１４４は、ロジッグ処理部１４９とセグメント表示部１５０との間、およびロジッグ処理部１４９とドットマトリックス表示部１６０との間に設けられて、ロジッグ処理部１４９で生成した制御信号を出力する役割を行う。
【００５６】
この際、ロジッグ処理部１４９とセグメント表示部１５０との間に設けられるものをセグメント制御信号出力部と定義し、ロジッグ処理部１４９とドットマトリックス表示部１６０との間に設けられるものをドットマトリックス制御信号出力部と定義することができる。
【００５７】
一方、セグメント制御信号出力部は、パッシブバッファ（Ｐａｓｓｉｖｅ  Ｂｕｆｆｅｒ）１４４ｐを含むことができる。
【００５８】
また、ドットマトリックス制御信号出力部は、ドットマトリックス表示部１６０のドットがＸ、Ｙ座標に応じて決定される点を鑑みて、Ｘ軸の制御信号を出力するソースバッファ（Ｓｏｕｒｃｅ  Ｂｕｆｆｅｒ）１４４ｘと、Ｙ軸の制御信号を出力するゲートバッファ（Ｇａｇｅ  Ｂｕｆｆｅｒ）１４４ｙと、を含むことができる。
【００５９】
これにより、一つのＲＦモジュール１２０、一つの制御部１３０および一つの表示部駆動チップ１４０だけでセグメント方式およびドットマトリックス方式の電子棚札１００の表示が可能となり、結果、製造コストが特に上昇することなく表示情報変更の便宜性が向上し、電力消費が減少し、電子棚札１００の表示画面に対するサイズを最適化することができる。
【００６０】
図５は、本発明の他の実施形態による電子棚札１００の主要部の構成を詳細に例示したブロック図である。
【００６１】
図５を参照すると、本実施形態による電子棚札１００の表示部駆動チップ１４０は、図４に例示された実施形態による電子棚札１００の表示部駆動チップ１４０とは異なり、判断部１４５と、メモリ部１４６と、をさらに含む。
【００６２】
メモリ部１４６には、現在セグメント表示部１５０またはドットマトリックス表示部１６０に表示されている情報、現在表示されている事項の表示を命令した直前の制御命令または前記直前の制御命令に含まれたデータが格納されていてもよい。
【００６３】
現在セグメント表示部１５０またはドットマトリックス表示部１６０に表示されている事項を表示するように命令した制御命令を変更前の制御命令と仮定すると、インターフェース部１４１が新たに印加を受けた制御命令の直前の制御命令は、前記変更前の制御命令とみなすことができる。
【００６４】
すなわち、過去時点に制御部１３０からインターフェース部１４１に直前の制御命令が伝達されて現在の特定の情報が表示されていることであり、制御部１３０からインターフェース部１４１に新たな制御命令が伝達されると、ロジッグ処理部１４９などを経てセグメント表示部１５０またはドットマトリックス表示部１６０の表示内容が変更されるということである。
【００６５】
ここで、新たな制御命令に含まれたデータを第１データと定義し、直前の制御命令に含まれたデータを第２データと定義することができる。
【００６６】
したがって、メモリ部１４６には第２データが格納されているとみなすことができる。
【００６７】
判断部１４５は、第１データのうち第２データと相違するデータのみを抽出してロジッグ処理部１４９に伝送する機能を行う。
【００６８】
これにより、表示部駆動チップ１４０ではセグメント表示部１５０またはドットマトリックス表示部１６０に表示された事項のうち新たな制御命令に応じて変更すべき事項による制御信号のみを生成して出力することになり、この制御信号を受信したセグメント表示部１５０またはドットマトリックス表示部１６０は表示内容を変更するために最小限のセグメントまたはドットのオン／オフ状態が変更される。
【００６９】
結果、セグメント表示部１５０またはドットマトリックス表示部１６０の表示事項を変更するために消費する電力を最小化することができる。
【００７０】
また、電子棚札１００が設けられる大型スーパーの場合、特定の商品に対する一時的な割引販売が頻繁に行われており、商品そのものの位置が変更される頻度より商品の価格情報が変動される頻度が多いとみなすことができる。
【００７１】
この際、商品名、製造社などの該商品に関する固有の情報はグラフィック形態で表示されることが有利であるため、このような情報がドットマトリックス表示部１６０に表示されるようにすることが好ましい。
【００７２】
反対に、商品の価格情報などはセグメント表示部１５０に表示されることができる。
【００７３】
このように、商品の価格情報などがセグメント表示部１５０に表示され、グラフィック形態で表示されることが有利な商品の固有情報がドットマトリックス表示部１６０に表示されると、本実施形態による電子棚札１００の表示変更はセグメント表示部１５０のみにて主に発生し、これにより、電子棚札１００の表示変更のために消費する電力を最小化することができる。
【００７４】
図６は、本発明の一実施形態による電子棚札１００を概略的に例示した一部分離断面図である。
【００７５】
図６は上述の構成要素が基板１０１上で実際具現される一例を示しているため、各構成要素に関する重複する説明は省略する。
【００７６】
図６を参照すると、セグメント表示部１５０は、基板１０１の一面に積層されることで基板１０１と一体化されることができ、これによりその製造過程を簡素化することができる。この際、セグメント表示部１５０は電子ペーパーパネル（ｅ‐ｐａｐｅｒ  ｐａｎｅｌ）に具現されることができ、基板の表面に形成された回路パターンが電子ペーパーパネルの一側電極としての役割を行うようにすることができる。
【００７７】
また、セグメント表示部１５０は、基板１０１の一面に積層され、ＲＦモジュール１２０および制御部１３０はセグメント表示部１５０が積層された面の反対面である基板１０１の他面に実装されることができる。
【００７８】
すなわち、基板１０１の一面にはセグメント表示部１５０とドットマトリックス表示部１６０のみが位置すれば良く、残りの部品は基板１０１の他面に設けられることができるため、情報を表示する画面のサイズが一致すると仮定すると、電子棚札１００のサイズを最小化することができる。
【００７９】
また、ドットマトリックス表示部１６０は、基板１０１とは別に製作されて基板１０１に設けられる回路パターン（図示せず）と電気的に連結されることができる。
【００８０】
この際、ドットマトリックス表示部１６０の一端には回路配線を含むフレキシブル回路基板１６１の一端が連結され、フレキシブル回路基板１６１の他端は基板１０１と物理的に結合することができる。
【００８１】
また、フレキシブル回路基板１６１の回路配線を介してドットマトリックス表示部１６０と基板１０１の回路パターンが電気的に連結されることができる。
【００８２】
一方、上述の表示部駆動チップ１４０は、フレキシブル回路基板１６１に電気的かつ物理的に結合することができ、さらに、フレキシブル回路基板１６１の回路配線と基板１０１の回路パターンを介して表示部駆動チップ１４０とセグメント表示部１５０が電気的に連結されることができる。
【００８３】
また、フレキシブル回路基板１６１とは別に、セグメント制御信号伝送線１４４ｐｏｕｔをさらに含むことができる。セグメント制御信号伝送線１４４ｐｏｕｔは、基板の回路パターンのうちセグメント表示部１５０と電気的に連結される回路パターンに一端が連結され、他端は表示部駆動チップ１４０に連結されることで、表示部駆動チップ１４０から生成されるセグメント制御信号がセグメント表示部１５０に伝達されるようにすることができる。
【００８４】
図７は本発明のさらに他の実施形態による電子棚札２００を概略的に例示したブロック図であり、図８は本発明のさらに他の実施形態による電子棚札２００を概略的に例示した一部分離断面図である。
【００８５】
図７を参照すると、上述の実施形態とは異なり、本実施形態による電子棚札２００は、セグメント表示部１５０と制御部１３０との間にセグメント表示部駆動チップ２４１が設けられ、ドットマトリックス表示部１６０と制御部１３０との間にドットマトリックス表示部駆動チップ２４２が設けられる点において差がある。
【００８６】
すなわち、上述の実施形態では、一つの表示部駆動チップ１４０がセグメント表示部１５０とドットマトリックス表示部１６０の両方に制御信号を印加するが、本実施形態では、物理的に互いに区別される二つの駆動チップ２４１、２４２がセグメント表示部１５０とドットマトリックス表示部１６０をそれぞれ制御する。
【００８７】
図８を参照すると、ドットマトリックス表示部１６０は、フレキシブル回路基板２６１によって基板１０１と連結され、フレキシブル回路基板２６１の一領域にドットマトリックス表示部駆動チップ２４２が設けられることができる。
【００８８】
また、基板１０１の一面にはセグメント表示部１５０が積層されて一体に形成されることができ、基板１０１の他面にはＲＦモジュール１２０、制御部１３０およびセグメント表示部駆動チップ２４１が実装されることができる。
【００８９】
図９は本発明の一実施形態による電子棚札１００の表示方法を概略的に例示したフローチャートである。
【００９０】
図９および図５を参照すると、本発明の一実施形態による電子棚札１００の表示方法は、表示部駆動チップ１４０、特に判断部１４５が第１データと第２データとを比較して（Ｓ１１０）、第１データのうち第２データと相違するデータのみを抽出し（Ｓ１２０）、ロジッグ処理部１４９ではＳ１２０段階で抽出したデータを表示するための制御信号を生成する（Ｓ１３０）。
【００９１】
次に、Ｓ１３０段階で生成した制御信号をセグメント表示部１５０またはドットマトリックス表示部１６０に印加して表示内容を変更することができる（Ｓ１４０）。
【００９２】
これにより、最小限の電力を消費して電子棚札１００の表示事項を変更することができる。
【符号の説明】
【００９３】
１０００  電子棚札システム
１００  電子棚札
１０１  基板
１１０  アンテナ
１２０  ＲＦモジュール
１３０  制御部
１４０  表示部駆動チップ
１４１  インターフェース部
１４２  ルックアップテーブル
１４３  選択部
１４４  出力部
１４４ｐ  パッシブバッファ
１４４ｘ  ソースバッファ
１４４ｙ  ゲートバッファ
１４４ｐｏｕｔ  セグメント制御信号伝送線
１４５  判断部
１４６  メモリ部
１４９  ロジッグ処理部
１５０  セグメント表示部
１６０  ドットマトリックス表示部
１６１  フレキシブル回路基板
２４１  セグメント表示部駆動チップ
２４２  ドットマトリックス表示部駆動チップ
２６１  フレキシブル回路基板
【図１】
2014098886.tif 000003
【図２】
2014098886.tif 000004
【図３】
2014098886.tif 000005
【図４】
2014098886.tif 000006
【図５】
2014098886.tif 000007
【図６】
2014098886.tif 000008
【図７】
2014098886.tif 000009
【図８】
2014098886.tif 000010
【図９】
2014098886.tif 000011